(57)【要約】【課題】マット本体の外周部に配置される互いに隣接する二つの単位マット片同士の開きを抑制しうる運動競技用ジョイントマットを提供すること。【解決手段】マット２０は、床面３０上におけるマット本体３の外周部の外側に外周部の辺部に沿って敷設される外周辺マット片４を備える。外周辺マット片４の内側辺部４ａが、当該内側辺部４ａに沿って交互に形成された係合凹部５ａ及び係合凸部５ｂを有する第２連結辺部５とされている。外周辺マット片４の第２連結辺部５は、マット本体３の外周部に配置される互いに隣接する二つの単位マット片１、１同士の継ぎ目線Ｓ１の外端Ｓ１ａを跨ぐ態様にして、一方の単位マット片１の外側の第１連結辺部２と他方の単位マット片１の外側の第１連結辺部２とに係合連結される。【選択図】図２
2020178882.tif 000002
【特許請求の範囲】
【請求項１】
各辺部が当該辺部に沿って交互に形成された係合凹部及び係合凸部を有する第１連結辺部とされた複数の平面視多角形状の単位マット片が、床面上に敷き並べられるとともに、互いに隣接する二つの前記単位マット片の前記第１連結辺部同士が互いに係合連結されることにより平面視多角形状のマット本体が形成される運動競技用ジョイントマットであって、
床面上における前記マット本体の外周部の外側に当該外周部の辺部に沿って敷設される外周辺マット片を備え、
前記外周辺マット片の内側辺部が、当該内側辺部に沿って交互に形成された係合凹部及び係合凸部を有する第２連結辺部とされており、
前記外周辺マット片の前記第２連結辺部が、前記マット本体の外周部に配置される互いに隣接する二つの単位マット片同士の継ぎ目線の外端を跨ぐ態様にして、一方の前記単位マット片の外側の第１連結辺部と他方の前記単位マット片の外側の第１連結辺部とに係合連結される運動競技用ジョイントマット。
【請求項２】
前記外周辺マット片の長さ方向の各端辺部が、当該端辺部に沿って交互に形成された係合凹部及び係合凸部を有する第３連結辺部とされており、
互いに隣接する二つの前記外周辺マット片の前記第３連結辺部同士が、前記単位マット片の外側の第１連結辺部における長さ方向略中間部の外側にて互いに係合連結される請求項１記載の運動競技用ジョイントマット。
【請求項３】
床面上における前記マット本体の外周部の角部の外側に敷設される平面視略Ｌ字状の外周角マット片を更に備え、
前記外周角マット片の内側角部の両側の辺部がそれぞれ、当該辺部に沿って交互に形成された係合凹部及び係合凸部を有する第４連結辺部とされており、
前記外周角マット片の前記両第４連結辺部が、前記マット本体の外周部の角部に配置される単位マット片の外側角部の両側の第１連結辺部に係合連結されるとともに、
前記外周角マット片の長さ方向の各端辺部が、当該端辺部に沿って交互に形成された係合凹部及び係合凸部を有する第５連結辺部とされており、
前記外周角マット片の前記第５連結辺部が、当該外周角マット片に対して隣接する前記外周辺マット片の第３連結辺部に前記単位マット片の外側の第１連結辺部における長さ方向略中間部の外側にて係合連結される請求項２記載の運動競技用ジョイントマット。
【発明の詳細な説明】
【技術分野】
【０００１】
本発明は、格闘競技（例：空手競技）などの運動競技用ジョイントマットに関する。
【背景技術】
【０００２】
運動競技として例えば空手競技は、一般に競技会場内の床面上に敷設されたマットの上で行われる。このマットは、競技会場への運搬、競技会場内への搬入などを容易に行えるようにするためにジョイント式のものが用いられるのが通常である。
【０００３】
このジョイントマットは、マットを分割構成する複数の小サイズの平面視正方形状の単位マット片を競技会場内に搬入してその床面上に敷き並べるとともに、互いに隣接する二つの単位マット片の辺部同士を互いに係合連結して単位マット片同士を継ぎ合わせることで、床面上に競技サイズの平面視正方形状のマットを形成している。
【０００４】
単位マット片の各辺部は、互いに隣接する二つの単位マット片がその継ぎ目線に対して両側に開かないように互いに係合連結可能な形状に形成されている。
【０００５】
ここで、空手競技用のジョイントマットではないが、一般家庭で用いられるジョイントマットにおける単位マット片の各辺部の形状については特許文献１−３に開示されており、具体的には、単位マット片の辺部に沿って係合凹部及び係合凸部が交互に複数形成された形状になっている。
【先行技術文献】
【特許文献】
【０００６】
【特許文献１】実用新案登録第３０９２５３１号公報
【特許文献２】実用新案登録第３２０５０７８号公報
【特許文献３】実用新案登録第３２１６３６９号公報
【発明の概要】
【発明が解決しようとする課題】
【０００７】
而して、このような空手競技用ジョイントマットでは、各単位マット片は一般に緩衝性を有する板状の発泡プラスチック製である。そのため、マットを長時間使用すると、各単位マット片が競技中に受ける大きな荷重によってその上側から圧縮されて外周側へ塑性的に伸びてしまい、その結果、マットの外周部に配置された互いに隣接する二つの単位マット片の辺部同士の係合連結力がその継ぎ目線の外端部で弱くなって当該両単位マット片が継ぎ目線の外端で開き易くなるという不具合があった。特に夏場は、各単位マット片が熱膨張によっても外周側へ伸びるためこの不具合が発生し易かった。
【０００８】
本発明は、上述した技術背景に鑑みてなされたもので、その主な目的は、マット本体の外周部における上述の開きを抑制しうる運動競技用ジョイントマットを提供することにある。
【課題を解決するための手段】
【０００９】
本発明は以下の手段を提供する。
【００１０】
１）  各辺部が当該辺部に沿って交互に形成された係合凹部及び係合凸部を有する第１連結辺部とされた複数の平面視多角形状の単位マット片が、床面上に敷き並べられるとともに、互いに隣接する二つの前記単位マット片の前記第１連結辺部同士が互いに係合連結されることにより平面視多角形状のマット本体が形成される運動競技用ジョイントマットであって、
床面上における前記マット本体の外周部の外側に当該外周部の辺部に沿って敷設される外周辺マット片を備え、
前記外周辺マット片の内側辺部が、当該内側辺部に沿って交互に形成された係合凹部及び係合凸部を有する第２連結辺部とされており、
前記外周辺マット片の前記第２連結辺部が、前記マット本体の外周部に配置される互いに隣接する二つの単位マット片同士の継ぎ目線の外端を跨ぐ態様にして、一方の前記単位マット片の外側の第１連結辺部と他方の前記単位マット片の外側の第１連結辺部とに係合連結される運動競技用ジョイントマット。
【００１１】
２）  前記外周辺マット片の長さ方向の各端辺部が、当該端辺部に沿って交互に形成された係合凹部及び係合凸部を有する第３連結辺部とされており、
互いに隣接する二つの前記外周辺マット片の前記第３連結辺部同士が、前記単位マット片の外側の第１連結辺部における長さ方向略中間部の外側にて互いに係合連結される前項１記載の運動競技用ジョイントマット。
【００１２】
３）  床面上における前記マット本体の外周部の角部の外側に敷設される平面視略Ｌ字状の外周角マット片を更に備え、
前記外周角マット片の内側角部の両側の辺部がそれぞれ、当該辺部に沿って交互に形成された係合凹部及び係合凸部を有する第４連結辺部とされており、
前記外周角マット片の前記両第４連結辺部が、前記マット本体の外周部の角部に配置される単位マット片の外側角部の両側の第１連結辺部に係合連結されるとともに、
前記外周角マット片の長さ方向の各端辺部が、当該端辺部に沿って交互に形成された係合凹部及び係合凸部を有する第５連結辺部とされており、
前記外周角マット片の前記第５連結辺部が、当該外周角マット片に対して隣接する前記外周辺マット片の第３連結辺部に前記単位マット片の外側の第１連結辺部における長さ方向略中間部の外側にて係合連結される前項２記載の運動競技用ジョイントマット。
【発明の効果】
【００１３】
本発明は以下の効果を奏する。
【００１４】
前項１では、外周辺マット片の第２連結辺部を、マット本体の外周部に配置される互いに隣接する二つの単位マット片同士の継ぎ目線の外端を跨ぐ態様にして、一方の単位マット片の外側の第１連結辺部と他方の単位マット片の外側の第１連結辺部とに係合連結することにより、両単位マット片がその継ぎ目線の外端で開くという不具合を抑制することができる。
【００１５】
前項２では、互いに隣接する二つの外周辺マット片の第３連結辺部同士を、単位マット片の外側の第１連結辺部における長さ方向略中間部の外側にて互いに係合連結することにより、両単位マット片の上述した不具合を確実に抑制することができる。
【００１６】
前項３では、外周角マット片の第５連結辺部を、当該外周角マット片に対して隣接する外周辺マット片の第３連結辺部に単位マット片の外側の第１連結辺部における長さ方向略中間部の外側にて係合連結することにより、両単位マット片の上述した不具合を更に確実に抑制することができる。
【図面の簡単な説明】
【００１７】
【図１】図１は、本発明の一実施形態に係る運動競技用ジョイントマットとしての空手競技用ジョイントマットの平面図である。
【図２】図２は、図１中のＡ部分の拡大図である。
【図３】図３は、同マットの単位マット片の平面図である。
【図４】図４は、同マットの外周辺マット片の平面図である。
【図５】図５は、同マットの外周角マット片の平面図である。
【発明を実施するための形態】
【００１８】
次に、本発明の一実施形態について図面を参照して以下に説明する。
【００１９】
本発明の一実施形態に係る運動競技用ジョイントマットとしての空手競技用ジョイントマット２０は、その上で運動競技（格闘競技）として空手競技が行われるものである。
【００２０】
図１に示すように、マット２０は、複数の平面視多角形状の単位マット片１と、複数の平面視略Ｉ字状の外周辺マット片４と、複数の平面視略Ｌ字状の外周角マット片７とを備えている。そして、これらが競技会場内の床面３０上にて隙間なく継ぎ合わされることによりマット２０が形成される。
【００２１】
単位マット片１の平面視形状について詳述すると、単位マット片１の平面視形状は方形状であり、更に詳述すると正方形状である。
【００２２】
単位マット片１、外周辺マット片４及び外周角マット片７はいずれも、緩衝性を有する板状の発泡プラスチック製であり、具体的には例えばＥＶＡ（エチレン・酢酸ビニル共重合体）発泡体製である。
【００２３】
単位マット片１、外周辺マット片４及び外周角マット片７の厚さは互いに略等しく、例えば約２０ｍｍである。なお本発明では、これらの厚さは上述の寸法であることに限定されるものではなく、その材質や運動競技の種類などに応じて様々に設定されるものである。
【００２４】
図１〜３に示すように、複数の単位マット片１は、互いに同形同寸のものであり、競技会場内の床面３０上に敷き並べられることで競技サイズの平面視多角形状のマット本体３を形成するものである。
【００２５】
マット本体３の平面視形状について詳述すると、マット本体３の平面視形状は方形状であり、更に詳述すると正方形状である。
【００２６】
単位マット片１の一辺の長さは例えば約１ｍである。マット本体３の一辺の長さは例えば約１０〜１２ｍの範囲である。なお本発明では、単位マット片１の一辺の長さ及びマット本体３の一辺の長さは上述の寸法であることに限定されるものではなく、運動競技の種類などに応じて様々に設定されるものである。
【００２７】
なお、図１に示すように、マット本体３の上面において、競技の場外領域及び場内領域を区別するため並びに競技者の競技開始位置を分かり易くするため、図１中のドットハッチングが付された単位マット片１の上面の色は他の単位マット片１の上面の色とは異なっている。
【００２８】
図２に示すように、マット本体３（マット２０）において、単位マット片１の各辺部１ａは、互いに隣接する二つの単位マット片１、１がその継ぎ目線Ｓ１に対して両側に開かないように互いに係合連結可能な形状に形成されている。
【００２９】
具体的には、図３に示すように、単位マット片１の各辺部１ａは、当該辺部１ａに沿って交互に複数形成された係合凹部２ａ及び係合凸部２ｂを有する第１連結辺部２とされている。
【００３０】
係合凸部２ｂは、単位マット片１の辺部１ａ（第１連結辺部２）の外側に向かって幅広状に突出している。
【００３１】
係合凹部２ａは、係合凸部２ｂが着脱自在に嵌合係合されるものであり、単位マット片１の辺部１ａ（第１連結辺部２）の内側に向かって幅広状に切り欠かれたものである。
【００３２】
図２に示すように、複数の単位マット片１が床面３０上にマット本体３の形状（即ち正方形状）に敷き並べられた状態では、互いに隣接する二つの単位マット片１、１の第１連結辺部２、２同士はその継ぎ目線Ｓ１に対して両側に開かないように互いに係合連結される。すなわち、一方の単位マット片１の第１連結辺部２の係合凹部２ａと他方の単位マット片１の第１連結辺部２の係合凸部２ｂとが嵌合係合するとともに、一方の単位マット片１の第１連結辺部２の係合凸部２ｂと他方の単位マット片１の第１連結辺部２の係合凹部２ａとが嵌合係合する。
【００３３】
図１、２及び４に示すように、複数の外周辺マット片４は、互いに同形同寸のものであり、床面３０上におけるマット本体３の外周部の外側にマット本体３の外周部の辺部に沿って敷き並べられるものである。
【００３４】
外周辺マット片４の長さは、単位マット片１の一辺の長さと略等しい。外周辺マット片４の幅は、単位マット片１の一辺の長さよりも短く、例えば約１００〜４００ｍｍの範囲であり詳述すると例えば約２５０ｍｍである。
【００３５】
図２に示すように、外周辺マット片４の内側辺部４ａは、マット本体３の外周部に配置される互いに隣接する二つの単位マット片１、１同士の継ぎ目線Ｓ１の外端Ｓ１ａを跨ぐ（通過する）態様にして、一方の単位マット片１の外側の第１連結辺部２と他方の単位マット片１の外側の第１連結辺部２とに係合連結可能な形状に形成されている。
【００３６】
具体的には、外周辺マット片４の内側辺部４ａは、当該内側辺部４ａに沿って交互に複数形成された係合凹部５ａ及び係合凸部５ｂを有する第２連結辺部５とされている。
【００３７】
外周辺マット片４の第２連結辺部５が両単位マット片１、１の外側の第１連結辺部２に係合連結された状態では、外周辺マット片４と両単位マット片１、１とはその継ぎ目線Ｓ２に対して両側に開かないように互いに連結される。すなわち、外周辺マット片４の第２連結辺部５の係合凹部５ａと両単位マット片１、１の外側の第１連結辺部２、２の係合凸部２ｂ、２ｂとが嵌合係合するとともに、外周辺マット片４の第２連結辺部５の係合凸部５ｂと両単位マット片１、１の外側の第１連結辺部２、２の係合凹部２ａ、２ａとが嵌合係合する。
【００３８】
外周辺マット片４の外側辺部４ｃは直線状に形成されている。
【００３９】
さらに、外周辺マット片４の長さ方向の各端辺部４ｂは、単位マット片１の外側の第１連結辺部２における長さ方向略中間部の外側に位置するとともに、互いに隣接する二つの外周辺マット片４、４の端辺部４ｂ、４ｂ同士がこの位置にて互いに係合連結可能な形状に形成されている。
【００４０】
具体的には、外周辺マット片４の各端辺部４ｂは、当該端辺部４ｂに沿って交互に複数形成された係合凹部６ａ及び係合凸部６ｂを有する第３連結辺部６とされている。
【００４１】
互いに隣接する二つの外周辺マット片４、４の第３連結辺部６、６同士が係合連結された状態では、両外周辺マット片４、４はその継ぎ目線Ｓ３に対して両側に開かないように互いに連結される。すなわち、一方の外周辺マット片４の第３連結辺部６の係合凹部６ａと他方の外周辺マット片４の第３連結辺部６の係合凸部６ｂとが嵌合係合するとともに、一方の外周辺マット片４の第３連結辺部６の係合凸部６ｂと他方の外周辺マット片４の第３連結辺部６の係合凹部６ａとが嵌合係合する。
【００４２】
図１、２及び５に示すように、複数の外周角マット片７は、互いに同形同寸のものであり、それぞれ、床面３０上におけるマット本体３の外周部の角部の外側に敷設されるものである。ここで、マット本体３は平面視正方形状であってその外周部の角部の数は４個であるから、外周角マット片７の数は４個である。
【００４３】
外周角マット片７の幅は外周辺マット片４の幅と略等しい。
【００４４】
外周角マット片７の内側角部７ａの両側の辺部７ｃ、７ｃは、マット本体３の外周部の角部に配置される単位マット片１Ａの外側角部１Ａａの両側の第１連結辺部２、２に係合連結可能な形状に形成されている。
【００４５】
具体的には、外周角マット片７の内側角部７ａの両側の辺部７ｃ、７ｃはそれぞれ、当該辺部７ｃに沿って交互に複数形成された係合凹部８ａ及び係合凸部８ｂを有する第４連結辺部８とされている。
【００４６】
外周角マット片７の両第４連結辺部８、８と単位マット片１Ａの外側角部１Ａａの両側の第１連結辺部２、２とが互いに係合連結された状態では、外周角マット片７と単位マット片１Ａとはその継ぎ目線Ｓ４に対して両側に開かないように互いに連結される。すなわち、外周角マット片７の両第４連結辺部８、８の係合凹部８ａ、８ａと単位マット片１Ａの外側角部１Ａａの両側の第１連結辺部２、２の係合凸部２ｂ、２ｂとが嵌合係合するとともに、外周角マット片７の両第４連結辺部８、８の係合凸部８ｂ、８ｂと単位マット片１Ａの外側角部１Ａａの両側の第１連結辺部２、２の係合凹部５ａ、５ａとが嵌合係合する。
【００４７】
外周角マット片７の外側角部７ｂの両側の辺部７ｅ、７ｅはそれぞれ直線状に形成されている。
【００４８】
さらに、外周角マット片７の長さ方向の各端辺部７ｄは、当該外周角マット片７に対して隣接する外周辺マット片４の第３連結辺部６に係合連結可能な形状に形成されている。
【００４９】
具体的には、外周角マット片７の各端辺部７ｄは、当該端辺部７ｄに沿って交互に複数形成された係合凹部９ａ及び係合凸部９ｂを有する第５連結辺部９とされている。
【００５０】
外周角マット片７の第５連結辺部９と外周辺マット片４の第３連結辺部６とが互いに係合連結された状態では、外周角マット片７と外周辺マット片４とはその継ぎ目線Ｓ５に対して両側に開かないように互いに連結される。すなわち、外周角マット片７の第５連結辺部９の係合凹部９ａと外周辺マット片４の第３連結辺部６の係合凸部６ｂとが嵌合係合するとともに、外周角マット片７の第５連結辺部９の係合凸部９ｂと外周辺マット片４の第５連結辺部９の係合凹部９ａとが嵌合係合する。
【００５１】
本実施形態のマット２０では、図１及び２に示すように、床面３０上に複数の単位マット片１が敷き並べられるとともに、互いに隣接する二つの単位マット片１、１の第１連結辺部２、２同士が互いに係合連結されることによりマット本体３が形成されている。
【００５２】
さらに、床面３０上におけるマット本体３の外周部の外側に外周部の辺部に沿って複数の外周辺マット片４が敷き並べられるとともに、外周辺マット片４の第２連結辺部５が、マット本体３の外周部に配置された互いに隣接する二つの単位マット片１、１同士の継ぎ目線Ｓ１の外端Ｓ１ａを跨ぐ態様にして、一方の単位マット片１の外側の第１連結辺部２と他方の単位マット片１の外側の第１連結辺部２とに係合連結されている。したがって、両単位マット片１、１の外側の両第１連結辺部２、２同士の係合連結状態が両単位マット片１、１の継ぎ目線Ｓ１の外端Ｓ１ａの位置にて外周辺マット片４により保持される。これにより、両単位マット片１、１がその継ぎ目線Ｓ１の外端Ｓ１ａで開くのを抑制することができる。
【００５３】
さらに、互いに隣接する二つの外周辺マット片４、４の第３連結辺部６、６同士が、単位マット片１の外側の第１連結辺部２における長さ方向略中間部の外側にて互いに係合連結されている。したがって、両単位マット片１、１がその継ぎ目線Ｓ１の外端Ｓ１ａで開くのを確実に抑制することができる。
【００５４】
さらに、床面３０上におけるマット本体３の外周部の各角部の外側に外周角マット片７が敷設されるとともに、外周角マット片７の内側角部７ａの両側の第４連結辺部８、８が、マット本体３の外周部の角部に配置された単位マット片１Ａの外側角部１Ａａの両側の第１連結辺部２、２に係合連結されている。しかも、外周角マット片７の第５連結辺部９が、当該外周角マット片７に対して隣接する外周辺マット片４の第３連結辺部６に単位マット片１の外側の第１連結辺部２における長さ方向略中間部の外側にて係合連結されている。したがって、両単位マット片１、１がその継ぎ目線Ｓ１の外端Ｓ１ａで開くのを更に確実に抑制することができる。
【００５５】
以上で本発明の一実施形態を説明したが、本発明は上記実施形態に限定されるものではなく、本発明の要旨を逸脱しない範囲で様々に変更可能であることはいうまでもない。
【産業上の利用可能性】
【００５６】
本発明は、格闘競技（例：空手競技）などの運動競技用ジョイントマットに利用可能である。
【符号の説明】
【００５７】
１：単位マット片
２：第１連結辺部
３：マット本体
４：外周辺マット片
５：第２連結辺部
６：第３連結辺部
７：外周角マット片
８：第４連結辺部
９：第５連結辺部
Ｓ１〜Ｓ５：継ぎ目線
２０：ジョイントマット
【図１】
2020178882.tif 000003
【図２】
2020178882.tif 000004
【図３】
2020178882.tif 000005
【図４】
2020178882.tif 000006
【図５】
2020178882.tif 000007